(57)【要約】      （修正有）【課題】クランプが安定し、適合性が高い電子機器クランプ装置を提供する。【解決手段】支持板、上下と左右調整装置を含む電子機器クランプ装置であって、支持板の上側に上クランプアセンブリ３０ａｃが設置され、支持板の下側に下クランプアセンブリ３０ｂｄが設置され、上クランプアセンブリと下クランプアセンブリとの間に上下クランプ空間が形成され、支持板の左側に左クランプアセンブリ３０ａｂが設置され、支持板の右側に右クランプアセンブリ３０ｃｄが設置され、左クランプアセンブリと右クランプアセンブリとの間に左右クランプ空間が形成され、上下調整装置は、上下クランプ空間のクランプ距離を調整し、左右調整装置は、左右クランプ空間のクランプ距離を調整する。上記構造の設置により、上下と左右調整装置は、それぞれ左右クランプ空間と上下クランプ空間のクランプ距離を調整することにより、左右と上下方向に電子機器をクランプするか又は解放することを実現し、両者をそれぞれ設置する。【選択図】図８
0003234611.tif 000002
【実用新案登録請求の範囲】
【請求項１】
上側に上クランプアセンブリ（３０ａｃ）が設置され、下側に下クランプアセンブリ（３０ｂｄ）が設置され、前記上クランプアセンブリ（３０ａｃ）と前記下クランプアセンブリ（３０ｂｄ）との間に上下クランプ空間が形成され、左側に左クランプアセンブリ（３０ａｂ）が設置され、右側に右クランプアセンブリ（３０ｃｄ）が設置され、前記左クランプアセンブリ（３０ａｂ）と前記右クランプアセンブリ（３０ｃｄ）との間に左右クランプ空間が形成される支持板（１０）と、
前記上下クランプ空間のクランプ距離を調整することにより、上下方向に電子機器をクランプするか又は解放することを実現する上下調整装置（２０）と、
前記左右クランプ空間のクランプ距離を調整することにより、左右方向に電子機器をクランプするか又は解放することを実現する左右調整装置（４０）と、を含むことを特徴とする、電子機器クランプ装置。
【請求項２】
前記支持板（１０）は、左支持板（１１）及び右支持板（１２）を含み、前記左クランプアセンブリ（３０ａｂ）が前記左支持板（１１）に設置され、前記右クランプアセンブリ（３０ｃｄ）が前記右支持板（１２）に設置され、前記左右調整装置（４０）は、ネジロッド（４１）、雌ネジ管（４２）及び調整ノブ（４３）を含み、前記左支持板（１１）内にネジ管貫通孔（１１１）が設置され、前記雌ネジ管（４２）が前記ネジ管貫通孔（１１１）に設置され、前記調整ノブ（４３）の接続端が前記雌ネジ管（４２）の一端に接続され、前記調整ノブ（４３）は前記雌ネジ管（４２）を前記ネジ管貫通孔（１１１）内で回転するように駆動し、前記ネジロッド（４１）は、第１の端が前記右支持板（１２）に固定接続され、第２の端が前記ネジ管貫通孔（１１）内に延び、かつ前記雌ネジ管（４２）の他端に螺着されることを特徴とする、請求項１に記載の電子機器クランプ装置。
【請求項３】
前記調整ノブ（４３）の前記左支持板（１１）に向かう側に複数の第１のストッパブロック（４３１）が設置され、前記左支持板（１１）に複数の第２のストッパブロック（１１２）が設置され、前記第１のストッパブロック（４３１）が前記第２のストッパブロック（１１２）に係着されることを特徴とする、請求項２に記載の電子機器クランプ装置。
【請求項４】
前記左クランプアセンブリ（３０ａｂ）は、第１の左クランプユニット（３０ａ１）及び第２の左クランプユニット（３０ｂ１）を含み、前記右クランプアセンブリ（３０ｃｄ）は、第１の右クランプユニット（３０ｃ１）及び第２の右クランプユニット（３０ｄ１）を含み、前記第１の左クランプユニット（３０ａ１）が前記第１の右クランプユニット（３０ｃ１）に対向して設置され、前記第２の左クランプユニット（３０ｂ１）が前記第２の右クランプユニット（３０ｄ１）に対向して設置されることを特徴とする、請求項２に記載の電子機器クランプ装置。
【請求項５】
前記上クランプアセンブリ（３０ａｃ）は、第１の上クランプユニット（３０ａ２）及び第２の上クランプユニット（３０ｃ２）を含み、前記下クランプアセンブリ（３０ｂｄ）は、第１の下クランプユニット（３０ｂ２）及び第２の下クランプユニット（３０ｄ２）を含み、前記上下調整装置（２０）は、第１のラック（２０ａ）、第２のラック（２０ｂ）、第３のラック（２０ｃ）及び第４のラック（２０ｄ）を含み、前記第１の上クランプユニット（３０ａ２）が前記第１のラック（２０ａ）に接続され、前記第１の下クランプユニット（３０ｂ２）が前記第２のラック（２０ｂ）に接続され、前記第２の上クランプユニット（３０ｃ２）が前記第３のラック（２０ｃ）に接続され、前記第２の下クランプユニット（３０ｄ２）が前記第４のラック（２０ｄ）に接続され、前記左支持板（１１）内に第１の収容室（１１３）が設置され、第１の収容室（１１３）内に第１の歯車（２１ａｂ）及び第１のばね（２２ａｂ）が設置され、前記第１のラック（２０ａ）及び前記第２のラック（２０ｂ）がいずれも前記第１の歯車（２１ａｂ）と噛み合わされ、前記第１のばね（２２ａｂ）の一端が前記第１のラック（２０ａ）又は第２のラック（２０ｂ）に接続され、前記第１のばね（２２ａｂ）の他端が前記第１の収容室（１１３）の内壁に接続され、前記右支持板（１２）内に第２の収容室（１２１）が設置され、第２の収容室（１２１）内に第２の歯車（２１ｃｄ）及び第２のばね（２２ｃｄ）が設置され、前記第３のラック（２０ｃ）及び前記第４のラック（２０ｄ）がいずれも前記第２の歯車（２１ｃｄ）と噛み合わされ、前記第２のばね（２２ｃｄ）の一端が前記第３のラック（２０ｃ）又は前記第４のラック（２０ｄ）に接続され、前記第２のばね（２２ｃｄ）の他端が前記第２の収容室（１２１）の内壁に接続されることを特徴とする、請求項４に記載の電子機器クランプ装置。
【請求項６】
前記第１の左クランプユニット（３０ａ１）と前記第１の上クランプユニット（３０ａ２）は、Ｌ字状に一体成形して設置され、前記第２の左クランプユニット（３０ｂ１）と前記第１の下クランプユニット（３０ｂ２）は、Ｌ字状に一体成形して設置され、前記第１の右クランプユニット（３０ｃ１）と前記第２の上クランプユニット（３０ａ２）は、Ｌ字状に一体成形して設置され、前記第２の右クランプユニット（３０ｄ１）と前記第２の下クランプユニット（３０ｄ２）は、Ｌ字状に一体成形して設置されることを特徴とする、請求項１に記載の電子機器クランプ装置。
【請求項７】
前記第１の上クランプユニット（３０ａ２）の内壁、前記第２の上クランプユニット（３０ｃ２）の内壁、前記第１の下クランプユニット（３０ｂ２）の内壁及び前記第２の下クランプユニット（３０ｄ２）の内壁に、いずれも緩衝用軟質ゴム（７０）が設置されることを特徴とする、請求項５に記載の電子機器クランプ装置。
【請求項８】
前記緩衝用軟質ゴム（７０）に複数のストッパバンプ（７１）が設置され、複数の前記ストッパバンプ（７１）の高さが前記支持板（１０）から離れる方向に沿って順次高くなることを特徴とする、請求項７に記載の電子機器クランプ装置。
【請求項９】
２つのガイドロッド（６０）をさらに含み、前記左支持板（１１）に２つのガイドロッド貫通孔（１１４）が設置され、２つの前記ガイドロッド（６０）の一端が前記右支持板（１２）に接続され、２つの前記ガイドロッド（６０）の他端が２つの前記ガイドロッド貫通孔（１１４）まで延び、前記ネジ管貫通孔（１１１）と２つの前記ガイドロッド貫通孔（１３）が「品」字状に設置されることを特徴とする、請求項２に記載の電子機器クランプ装置。
【請求項１０】
前記右支持板（１２）の一側に偏心輪（５１）、偏心軸（５２）及び偏心輪受け部（５３）がさらに設置され、前記偏心輪受け部（５３）が前記右支持板（１２）に密着して設置され、前記偏心輪（５１）が前記偏心輪受け部（５３）に回転可能に設置され、前記偏心軸（５２）が前記偏心輪（５１）に設置され、前記ネジロッド（４１）の第１の端が前記右支持板（１２）及び前記偏心輪受け部（５３）を貫通し、前記偏心軸（５２）に接続されることを特徴とする、請求項２に記載の電子機器クランプ装置。
【考案の詳細な説明】
【技術分野】
【０００１】
本考案は、電子機器の技術分野に関し、特に電子機器クランプ装置に関する。
【背景技術】
【０００２】
現代の社会生活において、携帯電話などの電子機器は、人々の日常生活に大きな利便性をもたらし、人々は、携帯電話などの携帯電子機器とますます切り離せず、携帯電話などの電子機器の使用もますます頻繁になり、運転、サイクリングの場合でも携帯電話などの電子機器を使用して電話をかけたりナビゲートしたりする必要がある。
【０００３】
しかし、人々が自転車、オートバイ又は電動自転車に乗る時、携帯電話などの電子機器を使用することは、非常に不便で、危険が発生する場合もある。したがって、携帯電話などの電子機器を自転車、オートバイ又は電動自転車にクランプして固定することができる多くの電子機器クランプブラケットが現れており、ユーザの使用がより便利になる。市場で従来の電子機器クランプ装置は、左右クランプ又は上下クランプであり、このようなクランプ方式は、安定状態を保持することができず、各クランプ部が同期して変位するクランプ装置もあり、このようなクランプ方式は、全ての携帯電話などの電子機器に適合することができず、適合性が低いという問題がある。
【考案の概要】
【考案が解決しようとする課題】
【０００４】
本考案は、上記した技術の問題に鑑みなされたものであり、上下クランプと左右クランプを実現することができ、クランプが安定し、適合性が高い電子機器クランプ装置を提供することを、その目的とする。
【課題を解決するための手段】
【０００５】
本考案がその技術的問題を解決するために採用する技術的解決手段は、以下のとおりである。
本考案に係る電子機器クランプ装置は、
上側に上クランプアセンブリが設置され、下側に下クランプアセンブリが設置され、前記上クランプアセンブリと前記下クランプアセンブリとの間に上下クランプ空間が形成され、左側に左クランプアセンブリが設置され、右側に右クランプアセンブリが設置され、前記左クランプアセンブリと前記右クランプアセンブリとの間に左右クランプ空間が形成される支持板と、
前記上下クランプ空間のクランプ距離を調整することにより、上下方向に電子機器をクランプするか又は解放することを実現する上下調整装置と、
前記左右クランプ空間のクランプ距離を調整することにより、左右方向に電子機器をクランプするか又は解放することを実現する左右調整装置と、を含む。
【０００６】
さらに、前記支持板は、左支持板及び右支持板を含み、前記左クランプアセンブリが前記左支持板に設置され、前記右クランプアセンブリが前記右支持板に設置され、前記左右調整装置は、ネジロッド、雌ネジ管及び調整ノブを含み、前記左支持板内にネジ管貫通孔が設置され、前記雌ネジ管が前記ネジ管貫通孔に設置され、前記調整ノブの接続端が前記雌ネジ管の一端に接続され、前記調整ノブは前記雌ネジ管を前記ネジ管貫通孔内で回転するように駆動し、前記ネジロッドは、第１の端が前記右支持板に固定接続され、第２の端が前記ネジ管貫通孔内に延び、かつ前記雌ネジ管の他端に螺着される。
【０００７】
さらに、前記調整ノブの前記左支持板に向かう側に複数の第１のストッパブロックが設置され、前記左支持板に複数の第２のストッパブロックが設置され、前記第１のストッパブロックが前記第２のストッパブロックに係着される。
【０００８】
さらに、前記左クランプアセンブリは、第１の左クランプユニット及び第２の左クランプユニットを含み、前記右クランプアセンブリは、第１の右クランプユニット及び第２の右クランプユニットを含み、前記第１の左クランプユニットが前記第１の右クランプユニットに対向して設置され、前記第２の左クランプユニットが前記第２の右クランプユニットに対向して設置される。
【０００９】
さらに、前記上クランプアセンブリは、第１の上クランプユニット及び第２の上クランプユニットを含み、前記下クランプアセンブリは、第１の下クランプユニット及び第２の下クランプユニットを含み、前記上下調整装置は、第１のラック、第２のラック、第３のラック及び第４のラックを含み、前記第１の上クランプユニットが前記第１のラックに接続され、前記第１の下クランプユニットが前記第２のラックに接続され、前記第２の上クランプユニットが前記第３のラックに接続され、前記第２の下クランプユニットが前記第４のラックに接続され、前記左支持板内に第１の収容室が設置され、第１の収容室内に第１の歯車及び第１のばねが設置され、前記第１のラック及び前記第２のラックがいずれも前記第１の歯車と噛み合わされ、前記第１のばねの一端が前記第１のラック又は第２のラックに接続され、前記第１のばねの他端が前記第１の収容室の内壁に接続され、前記右支持板内に第２の収容室が設置され、第２の収容室内に第２の歯車及び第２のばねが設置され、前記第３のラック及び前記第４のラックがいずれも前記第２の歯車と噛み合わされ、前記第２のばねの一端が前記第３のラック又は前記第４のラックに接続され、前記第２のばねの他端が前記第２の収容室の内壁に接続される。
【００１０】
さらに、前記第１の左クランプユニットと前記第１の上クランプユニットは、Ｌ字状に一体成形して設置され、前記第２の左クランプユニットと前記第１の下クランプユニットは、Ｌ字状に一体成形して設置され、前記第１の右クランプユニットと前記第２の上クランプユニットは、Ｌ字状に一体成形して設置され、前記第２の右クランプユニットと前記第２の下クランプユニットは、Ｌ字状に一体成形して設置される。
【００１１】
さらに、前記第１の上クランプユニットの内壁、前記第２の上クランプユニットの内壁、前記第１の下クランプユニットの内壁及び前記第２の下クランプユニットの内壁に、いずれも緩衝用軟質ゴムが設置される。
さらに、前記緩衝用軟質ゴムに複数のストッパバンプが設置され、複数の前記ストッパバンプの高さが前記支持板から離れる方向に沿って順次高くなる。
【００１２】
さらに、２つのガイドロッドをさらに含み、前記左支持板に２つのガイドロッド貫通孔が設置され、２つの前記ガイドロッドの一端が前記右支持板に接続され、２つの前記ガイドロッドの他端が２つの前記ガイドロッド貫通孔まで延び、前記ネジ管貫通孔と２つの前記ガイドロッド貫通孔が「品」字状に設置される。
【００１３】
さらに、前記右支持板の一側に偏心輪、偏心軸及び偏心輪受け部がさらに設置され、前記偏心輪受け部が前記右支持板に密着して設置され、前記偏心輪が前記偏心輪受け部に回転可能に設置され、前記偏心軸が前記偏心輪に設置され、前記ネジロッドの第１の端が前記右支持板及び前記偏心輪受け部を貫通し、前記偏心軸に接続される。
【００１４】
さらに、接続アセンブリをさらに含み、前記左支持板の下面にユニバーサルボール溝が設置され、前記接続アセンブリの一端に、前記ユニバーサルボール溝に挿着されるユニバーサルボールが設置され、前記接続アセンブリの他端に、円柱状の電子機器の配置箇所に固定接続するための留めフープが設置される。
【００１５】
さらに、前記接続アセンブリは、十字状の締付装置をさらに含み、前記ユニバーサルボール溝に雄ネジが設置され、前記締付装置に雌ネジが設置され、前記締付装置が前記ユニバーサルボール溝に嵌設される。
【考案の効果】
【００１６】
本考案の有益な効果は、以下のとおりである。上記構造の設置により、上下調整装置は上下クランプ空間のクランプ距離を調整することにより、上下方向に電子機器をクランプするか又は解放することを実現することができ、左右調整装置は左右クランプ空間のクランプ距離を調整することにより、左右方向に電子機器をクランプするか又は解放することを実現することができ、両者をそれぞれ設置することにより、ユーザは左右クランプ空間のクランプ距離と上下クランプ空間のクランプ距離をそれぞれ調整して、異なるタイプの電子機器への適合を実現し、該電子機器のクランプ装置の適合性を効果的に向上させ、かつ製品の安定性を向上させ、ユーザの使用体験を向上させることができる。
【図面の簡単な説明】
【００１７】
【図１】本考案の１つの角度から見た全体構造の概略図である。
【図２】本考案の分解構造の概略図である。
【図３】図２の円Ａの拡大図である。
【図４】図２の円Ｂの拡大図である。
【図５】本考案の断面図である。
【図６】本考案の開状態の構造概略図である。
【図７】本考案の別の角度から見た全体構造の概略図である。
【図８】本考案の使用状態の参考図である。
【考案を実施するための形態】
【００１８】
図１〜図８を参照して、本考案の実施例に係る電子機器クランプ装置を説明する。
この電子機器クランプ装置は、
上側に上クランプアセンブリ３０ａｃが設置され、下側に下クランプアセンブリ３０ｂｄが設置され、上記上クランプアセンブリ３０ａｃと上記下クランプアセンブリ３０ｂｄとの間に上下クランプ空間が形成され、左側に左クランプアセンブリ３０ａｂが設置され、右側に右クランプアセンブリ３０ｃｄが設置され、上記左クランプアセンブリ３０ａｂと上記右クランプアセンブリ３０ｃｄとの間に左右クランプ空間が形成される支持板１０と、
上記上下クランプ空間のクランプ距離を調整することにより、上下方向に電子機器をクランプするか又は解放することを実現する上下調整装置２０と、
上記左右クランプ空間のクランプ距離を調整することにより、左右方向に電子機器をクランプするか又は解放することを実現する左右調整装置４０と、を含む。
【００１９】
上記構造の設置により、上下調整装置２０は上下クランプ空間のクランプ距離を調整することにより、上下方向に電子機器をクランプするか又は解放することを実現することができ、左右調整装置４０は左右クランプ空間のクランプ距離を調整することにより、左右方向に電子機器をクランプするか又は解放することを実現することができ、両者をそれぞれ設置することにより、ユーザは左右クランプ空間のクランプ距離と上下クランプ空間のクランプ距離をそれぞれ調整して、異なるタイプの電子機器への適合を実現し、該電子機器のクランプ装置の適合性を効果的に向上させ、かつ製品の安定性を向上させ、ユーザの使用体験を向上させることができる。
【００２０】
本実施例では、上記支持板１０は、左支持板１１及び右支持板１２を含み、上記左クランプアセンブリ３０ａｂが上記左支持板１１に設置され、上記右クランプアセンブリ３０ｃｄが上記右支持板１２に設置され、上記左右調整装置４０は、ネジロッド４１、雌ネジ管４２及び調整ノブ４３を含み、上記左支持板１１内にネジ管貫通孔１１１が設置され、上記雌ネジ管４２が上記ネジ管貫通孔１１１に設置され、上記調整ノブ４３の接続端が上記雌ネジ管４２の一端に接続され、上記調整ノブ４３は上記雌ネジ管４２を上記ネジ管貫通孔１１１内で回転するように駆動し、上記ネジロッド４１は、第１の端が上記右支持板１２に固定接続され、第２の端が上記ネジ管貫通孔１１内に延び、かつ上記雌ネジ管４２の他端に螺着される。
【００２１】
上記構造の設置により、調整ノブ４３は雌ネジ管４２をネジ管貫通孔１１１内で回転するように駆動し、ネジロッド４１と雌ネジ管４２を相対的に移動させ、調整ノブ４３と雌ネジ管４２が左支持板１１に設置され、ネジロッド４１が右支持板１２に固定接続され、右支持板１２が左支持板１１に対して移動することにより、右支持板１２と左支持板１１の相対的な移動を実現し、さらに左右クランプ空間のクランプ距離を調整することができ、このように、左右方向に電子機器をクランプするか又は解放することを実現し、構造が簡単であり、調整しやすく、ユーザの使用に大きな利便性をもたらす。
【００２２】
本実施例では、上記調整ノブ４３の上記左支持板１１に向かう側に複数の第１のストッパブロック４３１が設置され、上記左支持板１１に複数の第２のストッパブロック１１２が設置され、上記第１のストッパブロック４３１が上記第２のストッパブロック１１２に係着される。上記構造の設置により、第１のストッパブロック４３１と第２のストッパブロック１１２が係着されて、調整ノブ４３と左支持板１１との間の相対的な回転を効果的に防止し、オートバイ、電動自転車及び自転車の走行中の揺れによる緩みを防止し、ユーザの財産安全を効果的に保障し、製品の安定性を向上させる。
【００２３】
本実施例では、上記左クランプアセンブリ３０ａｂは、第１の左クランプユニット３０ａ１及び第２の左クランプユニット３０ｂ１を含み、上記右クランプアセンブリ３０ｃｄは、第１の右クランプユニット３０ｃ１及び第２の右クランプユニット３０ｄ１を含み、上記第１の左クランプユニット３０ａ１が上記第１の右クランプユニット３０ｃ１に対向して設置され、上記第２の左クランプユニット３０ｂ１が上記第２の右クランプユニット３０ｄ１に対向して設置される。
【００２４】
上記構造の設置により、それぞれ設置された第１の左クランプユニット３０ａ１と第２の左クランプユニット３０ｂ１は、それぞれ電子機器の左側の上下の２つの部分をクランプすることができ、それぞれ設置された第１の右クランプユニット３０ｃ１と第２の右クランプユニット３０ｄ１は、それぞれ電子機器の右側の上下の２つの部分をクランプすることができ、製品の安定性を向上させ、増加したクランプ箇所は製品構造をより安定させ、第１の左クランプユニット３０ａ１が第１の右クランプユニット３０ｃ１に対向して設置され、第２の左クランプユニット３０ｂ１が第２の右クランプユニット３０ｄ１に対向して設置されて、製品が電子機器をクランプするときの受力を均一にし、さらに製品の安定性を向上させ、ユーザの使用体験を効果的に向上させる。
【００２５】
本実施例では、上記上クランプアセンブリ３０ａｃは、第１の上クランプユニット３０ａ２及び第２の上クランプユニット３０ｃ２を含み、上記下クランプアセンブリ３０ｂｄは、第１の下クランプユニット３０ｂ２及び第２の下クランプユニット３０ｄ２を含み、上記上下調整装置２０は、第１のラック２０ａ、第２のラック２０ｂ、第３のラック２０ｃ及び第４のラック２０ｄを含み、上記第１の上クランプユニット３０ａ２が上記第１のラック２０ａに接続され、上記第１の下クランプユニット３０ｂ２が上記第２のラック２０ｂに接続され、上記第２の上クランプユニット３０ｃ２が上記第３のラック２０ｃに接続され、上記第２の下クランプユニット３０ｄ２が上記第４のラック２０ｄに接続され、上記左支持板１１内に第１の収容室１１３が設置され、第１の収容室１１３内に第１の歯車２１ａｂ及び第１のばね２２ａｂが設置され、上記第１のラック２０ａ及び上記第２のラック２０ｂがいずれも上記第１の歯車２１ａｂと噛み合わされ、上記第１のばね２２ａｂの一端が上記第１のラック２０ａ又は上記第２のラック２０ｂに接続され、上記第１のばね２２ａｂの他端が上記第１の収容室１１３の内壁に接続され、上記右支持板１２内に第２の収容室１２１が設置され、第２の収容室１２１内に第２の歯車２１ｃｄ及び第２のばね２２ｃｄが設置され、上記第３のラック２０ｃ及び上記第４のラック２０ｄがいずれも上記第２の歯車２１ｃｄと噛み合わされ、上記第２のばね２２ｃｄの一端が上記第３のラック２０ｃ又は上記第４のラック２０ｄに接続され、上記第２のばね２２ｃｄの他端が上記第２の収容室１２１の内壁に接続される。
【００２６】
上記構造の設置により、第１のラック２０ａと第２のラック２０ｂがいずれも第１の歯車２１ａｂに噛み合わされ、第１のばね２２ａｂにより第１のラック２０ａと第２のラック２０ｂが互いに接近する傾向があり、その結果、第１の上クランプユニット３０ａ２と第１の下クランプユニット３０ｂ２が互いに接近し、電子機器の上端と下端をクランプし、第３のラック２０ｃと第４のラック２０ｄがいずれも第２の歯車２１ｃｄに噛み合わされ、第２のばね２２ｃｄにより第３のラック２０ｃと第４のラック２０ｄが互いに接近する傾向があり、その結果、第２の上クランプユニット３０ｃ２と第２の下クランプユニット３０ｄ２が互いに接近し、電子機器の上端と下端をクランプし、両者をそれぞれ設置することにより、該クランプ装置はより安定して電子機器をクランプし固定することができ、製品の安定性を大幅に向上させる。
【００２７】
本実施例では、上記第１の左クランプユニット３０ａ１と上記第１の上クランプユニット３０ａ２は、Ｌ字状に一体成形して設置され、上記第２の左クランプユニット３０ｂ１と上記第１の下クランプユニット３０ｂ２は、Ｌ字状に一体成形して設置され、上記第１の右クランプユニット３０ｃ１と上記第２の上クランプユニット３０ａ２は、Ｌ字状に一体成形して設置され、上記第２の右クランプユニット３０ｄ１と上記第２の下クランプユニット３０ｄ２は、Ｌ字状に一体成形して設置される。
【００２８】
上記構造の設置により、Ｌ字状の一体成形されたクランプ部材は、電子機器の４つの隅部を効果的にクランプして、製品の安定性を向上させ、製品のクランプユニットのずれを防止することができる一方、クランプユニットを電子機器の４つの隅部に設置し、電子機器の受力を最大限に安定させ、かつユーザが電子機器を使用することに影響を与えず、ユーザの使用体験を効果的に向上させることができる。
【００２９】
本実施例では、上記第１の上クランプユニット３０ａ２の内壁、上記第２の上クランプユニット３０ｃ２の内壁、上記第１の下クランプユニット３０ｂ２の内壁及び上記第２の下クランプユニット３０ｄ２の内壁に、いずれも緩衝用軟質ゴム７０が設置される。上記構造の設置により、緩衝用軟質ゴム７０は、摩擦力を増加させ、製品の安定性を向上させることができる一方、電子機器を効果的に保護し、クランプ部材が電子機器を傷つけることを防止し、ユーザの財産安全を保護することができる。
【００３０】
本実施例では、上記緩衝用軟質ゴム７０に複数のストッパバンプ７１が設置され、複数の上記ストッパバンプ７１の高さが上記支持板１０から離れる方向に沿って順次高くなる。上記構造の設置により、ストッパバンプ７１は、製品の耐衝撃能力を向上させ、電子機器を効果的に保護することができる一方、高さが順次高くなるストッパバンプ７１は、厚さの異なる電子機器に適合して、電子機器の脱落を効果的に防止し、ユーザの財産安全を保護することができる。
【００３１】
本実施例では、２つのガイドロッド６０をさらに含み、上記左支持板１１に２つのガイドロッド貫通孔１１４が設置され、２つの上記ガイドロッド６０の一端が上記右支持板１２に接続され、２つの上記ガイドロッド６０の他端が２つの上記ガイドロッド貫通孔１１４まで延び、上記ネジ管貫通孔１１１と２つの上記ガイドロッド貫通孔１３が「品」字状に設置される。上記構造の設置により、ネジ管貫通孔１１１とガイドロッド貫通孔１３が「品」字状に設置されることにより、ガイドロッド６０とネジロッド４１を交互に設置し、左支持板１１と右支持板１２のずれを防止し、製品の安定性を向上させる。
【００３２】
本実施例では、上記右支持板１２の一側に偏心輪５１、偏心軸５２及び偏心輪受け部５３がさらに設置され、上記偏心輪受け部５３が上記右支持板１２に密着して設置され、上記偏心輪５１が上記偏心輪受け部５３に回転可能に設置され、上記偏心軸５２が上記偏心輪５１に設置され、上記ネジロッド４１の第１の端が上記右支持板１２及び上記偏心輪受け部５３を貫通し、上記偏心軸５２に接続される。
上記構造の設置により、偏心輪５１を回転すると、偏心軸５２と偏心輪５１の外壁との間にストローク差が生じ、左支持板１１と右支持板１２をロックし、左支持板１１と右支持板１２を効果的に固定し、製品の安定性を向上させ、ユーザの財産安全を保護する。
【００３３】
本実施例では、接続アセンブリ８０をさらに含み、上記左支持板１１の下面にユニバーサルボール溝１１５が設置され、上記接続アセンブリ８０の一端に、上記ユニバーサルボール溝１１５に挿着されるユニバーサルボール８１が設置され、上記接続アセンブリ８０の他端に、円柱状の電子機器の配置箇所に固定接続するための留めフープ８２が設置される。
上記構造の設置により、留めフープ８２は、ユーザが該電子機器クランプ装置をオートバイ、電動自転車及び自転車に取り付けやすく、ユニバーサルボール８１がユニバーサルボール溝１１５に回転可能に接続されるため、該電子機器クランプ装置が角度を自由に調整することができ、ユーザが電子機器を観察しやすく、製品の安定性を向上させる。
【００３４】
本実施例では、上記接続アセンブリ８０は、十字状の締付装置８３をさらに含み、上記ユニバーサルボール溝１１５に雄ネジが設置され、上記締付装置８３に雌ネジが設置され、上記締付装置８３が上記ユニバーサルボール溝１１５に嵌設される。
上記構造の設置により、雌ネジが雄ネジと螺合して、上記締付装置が上記ユニバーサルボール溝１１５に螺着され、さらにユニバーサルボール溝１１５がユニバーサルボール８１に締め付けられ、ユニバーサルボール８１とユニバーサルボール溝１１５との固定を実現し、ユーザが電子機器クランプ装置の向き角度を調整し固定しやすく、かつ十字状の締付装置はユーザが力を入れて締め付けやすく、ユーザが使用しやすく、構造が簡単であり、効果が顕著である。
【００３５】
以上は、具体的な内容を組み合わせて提供する１つ以上の実施形態であり、本考案の具体的な実施形態は、これらの説明に限定されるものであると認められない。本考案の方法、構成などと近似し、同等であるか、又は本考案の構想で行われたいくつかの技術推定又は置換は、いずれも本考案の保護範囲に属するものと見なされるべきである。
【符号の説明】
【００３６】
１０  支持板
２０  上下調整装置
３０ａｃ  上クランプアッセンブリ
３０ｂｄ  下クランプアッセンブリ
３０ａｂ  左クランプアッセンブリ
３０ｃｄ  右クランプアッセンブリ
４０  左右調整装置
【図１】
0003234611.tif 000003
【図２】
0003234611.tif 000004
【図３】
0003234611.tif 000005
【図４】
0003234611.tif 000006
【図５】
0003234611.tif 000007
【図６】
0003234611.tif 000008
【図７】
0003234611.tif 000009
【図８】
0003234611.tif 000010